(57)【特許請求の範囲】
【請求項１】
第１の放送信号を受信して第１の解像度の第１の映像信号を生成する第１の受信部と、
文字画像情報を生成するＯＳＤ回路と、
前記第１の映像信号と前記ＯＳＤ回路で生成された文字画像信号との一方を選択して第１の合成信号として出力し、または前記第１の映像信号と前記ＯＳＤ回路で生成された文字画像信号との一方に他方の信号の全体あるいは一部を重畳して前記第１の合成信号として出力する第１の合成部と、
前記第１の受信部、前記ＯＳＤ回路および前記第１の合成部を制御する第１の制御手段と
を有した第１の放送受信処理系と、
第２の放送信号を受信して第２の解像度の第２の映像信号を生成する第２の受信部と、
前記第２の映像信号と前記第１の合成信号との一方を選択して第２の合成信号として出力し、または前記第２の映像信号と前記第１の合成信号との一方に他方の信号の全体あるいは一部を重畳して前記第２の合成信号として出力する第２の合成部と、
前記第１の合成信号又は前記第２の合成信号の解像度を変換してまたは変換せずに、前記第１の解像度の信号又は前記第２の解像度の信号を出力する解像度変換部と、
前記第２の受信部、前記第２の合成部及び前記解像度変換部を制御する第２の制御手段と
を有した第２の放送受信処理系とを備え、
前記第１及び第２の制御手段は、前記第１の映像信号及び第２の映像信号の解像度を表す情報と、視聴者により前記第１の映像信号または前記第２の映像信号を表示装置に全画面表示する旨の指示がなされたか否かを示す情報を互いに通信し、
前記第１の映像信号を全画面表示する旨の指示がなされたときは、前記第２の制御手段は、前記解像度変換部に解像度の変換を行わないように制御し、前記第２の合成部に前記第１の合成信号を選択して前記第２の合成信号として出力させ、
前記第２の映像信号を全画面表示する旨の指示がなされているときは、前記第２の制御手段は、前記第２の合成部に前記第２の映像信号を選択して前記第２の合成信号として出力させ、前記解像度変換部に解像度の変換を行わないように制御し、
前記第１の映像信号を全画面表示をする旨の指示も前記第２の映像信号を全画面表示する旨の指示もなされていない場合は、前記第２の制御手段は、前記解像度変換部から出力される信号の解像度を変化させないように前記解像度変換部を制御する
ことを特徴とするテレビジョン放送受信機。
【請求項２】
第１の放送信号を受信して第１の解像度の第１の映像信号を生成する第１の受信部と、
文字画像情報を生成する第１のＯＳＤ回路と、
前記第１の映像信号と前記第１のＯＳＤ回路で生成された文字画像情報との一方を選択して第１の合成信号として出力し、または前記第１の映像信号と前記第１のＯＳＤ回路で生成された文字画像信号との一方に他方の信号の全体あるいは一部を重畳して前記第１の合成信号として出力する第１の合成部と、
前記第１の受信部、前記第１のＯＳＤ回路および前記第１の合成部を制御する第１の制御手段とを有した第１の放送受信処理系と、
第２の放送信号を受信して第２の解像度の第２の映像信号を生成する第２の受信部と、
文字画像情報を生成する第２のＯＳＤ回路と、
前記第２の映像信号と前記第２のＯＳＤ回路で生成された文字画像情報と前記第１の合成信号のうちの１つを選択して第２の合成信号として出力し、または前記第２の映像信号と前記第２のＯＳＤ回路で生成された文字画像信号と前記第１の合成信号のうちの１つにその他の信号の全体あるいは一部を重畳して前記第２の合成信号として出力する第２の合成部と、
前記第１の合成信号又は前記第２の合成信号の解像度を変換してまたは変換せずに、前記第１の解像度の信号又は前記第２の解像度の信号を出力する解像度変換部と、
前記第２の受信部、前記第２のＯＳＤ回路、前記第２の合成部及び前記解像度変換部を制御する第２の制御手段と
を有した第２の放送受信処理系とを備え、
前記第１及び第２の制御手段は、前記第１の映像信号及び第２の映像信号の解像度を表す情報と、視聴者により前記第１の映像信号または前記第２の映像信号を表示装置に全画面表示する旨の指示がなされたか否かを示す情報を互いに通信し、
前記第１の映像信号を全画面表示する旨の指示がなされたときは、前記第２の制御手段は、前記解像度変換部に解像度の変換を行わないように制御し、前記第２の合成部に前記第１の合成信号を選択して前記第２の合成信号として出力させ、
前記第２の映像信号を全画面表示する旨の指示がなされているときは、前記第２の制御手段は、前記第２の合成部に前記第２の映像信号を選択して前記第２の合成信号として出力させ、前記解像度変換部に解像度の変換を行わないように制御し、
前記第１の映像信号を全画面表示をする旨の指示も前記第２の映像信号を全画面表示する旨の指示もなされていない場合は、前記第２の制御手段は、前記解像度変換部から出力される信号の解像度を変化させないように前記解像度変換部を制御する
ことを特徴とするテレビジョン放送受信機。
【請求項３】
第１の放送信号を受信して第１の解像度の第１の映像信号を生成する第１の受信部と、
文字画像情報を生成するＯＳＤ回路と、
前記第１の映像信号と前記ＯＳＤ回路で生成された文字画像信号との一方を選択して第１の合成信号として出力し、または前記第１の映像信号と前記ＯＳＤ回路で生成された文字画像信号との一方に他方の信号の全体あるいは一部を重畳して前記第１の合成信号として出力する第１の合成部と、
前記第１の受信部、前記ＯＳＤ回路および前記第１の合成部を制御する第１の制御手段と
を有した第１の放送受信処理系と、
第２の放送信号を受信して第２の解像度の第２の映像信号を生成する第２の受信部と、
前記第１の合成信号の解像度を変換してまたは変換せずに、前記第１の解像度の信号又は前記第２の解像度の信号を出力する解像度変換部と、
前記第２の映像信号と前記解像度変換部から出力される信号との一方を選択して第２の合成信号として表示装置に出力しまたは前記第２の映像信号と前記解像度変換部から出力される信号との一方に他方の信号の全体あるいは一部を重畳して前記第２の合成信号として前記表示装置に出力する第２の合成部と、
前記第２の受信部、前記第２の合成部及び前記解像度変換部を制御する第２の制御手段と
を有した第２の放送受信処理系とを備え、
前記第１及び第２の制御手段は、前記第１の映像信号及び第２の映像信号の解像度を表す情報と、視聴者により前記第１の映像信号または前記第２の映像信号を前記表示装置に全画面表示する旨の指示がなされたか否かを示す情報を互いに通信し、
前記第１の映像信号を全画面表示する旨の指示がなされたときは、前記第２の制御手段は、前記解像度変換部に解像度の変換を行わないように制御し、前記第２の合成部に前記第１の合成信号を選択して前記第２の合成信号として前記表示装置に出力させ、
前記第２の映像信号を全画面表示する旨の指示がなされているときは、前記第２の制御手段は、前記第２の合成部に前記第２の映像信号を選択して前記第２の合成信号として前記表示装置に出力させ、
前記第１の映像信号を全画面表示をする旨の指示も前記第２の映像信号を全画面表示する旨の指示もなされていない場合は、前記第２の制御手段は、前記解像度変換部から前記表示装置に出力される信号の解像度を変化させないように前記解像度変換部を制御する
ことを特徴とするテレビジョン放送受信機。
【請求項４】
第１の放送信号を受信して第１の解像度の第１の映像信号を生成する第１の受信部と、
文字画像情報を生成する第１のＯＳＤ回路と、
前記第１の映像信号と前記第１のＯＳＤ回路で生成された文字画像情報との一方を選択して第１の合成信号として出力し、または前記第１の映像信号と前記第１のＯＳＤ回路で生成された文字画像信号との一方に他方の信号の全体あるいは一部を重畳して前記第１の合成信号として出力する第１の合成部と、
前記第１の受信部、前記第１のＯＳＤ回路および前記第１の合成部を制御する第１の制御手段と
を有した第１の放送受信処理系と、
第２の放送信号を受信して第２の解像度の第２の映像信号を生成する第２の受信部と、
文字画像情報を生成する第２のＯＳＤ回路と、
前記第２の映像信号と前記第２のＯＳＤ回路で生成された文字画像情報と前記第１の合成信号のうちの１つを選択して第２の合成信号として出力し、または前記第２の映像信号と前記第２のＯＳＤ回路で生成された文字画像信号と前記第１の合成信号のうちの１つにその他の信号の全体あるいは一部を重畳して前記第２の合成信号として出力する第２の合成部と、
前記第２の合成信号の解像度を変換してまたは変換せずに、前記第１の解像度の信号又は前記第２の解像度の信号を表示装置に出力する解像度変換部と、
前記第２の受信部、前記第２のＯＳＤ回路、前記第２の合成部及び前記解像度変換部を制御する第２の制御手段と
を有した第２の放送受信処理系とを備え、
前記第１及び第２の制御手段は、前記第１の映像信号及び第２の映像信号の解像度を表す情報と、視聴者により前記第１の映像信号または前記第２の映像信号を前記表示装置に全画面表示する旨の指示がなされたか否かを示す情報を互いに通信し、
前記第１の映像信号を全画面表示する旨の指示がなされたときは、前記第２の制御手段は、前記解像度変換部に解像度の変換を行わないように制御し、前記第２の合成部に前記第１の合成信号を選択して前記第２の合成信号として前記解像度変換部に出力させ、
前記第２の映像信号を全画面表示する旨の指示がなされているときは、前記第２の制御手段は、前記第２の合成部に前記第２の映像信号を選択して前記第２の合成信号として前記解像度変換部に出力させ、前記解像度変換部に解像度の変換を行わないように制御し、
前記第１の映像信号を全画面表示をする旨の指示も前記第２の映像信号を全画面表示する旨の指示もなされていない場合は、前記第２の制御手段は、前記解像度変換部から出力される信号の解像度を変化させないように前記解像度変換部を制御する
ことを特徴とするテレビジョン放送受信機。
【請求項５】
前記第１及び第２の放送受信処理系のうち少なくとも一方が、
放送網から受信した信号から所望の物理チャンネルの信号を抽出するチューナ手段と、
ＮＴＳＣ信号の復調処理を施す復調手段と、
輝度情報、色情報、位置情報の調整処理を施す信号処理手段とを備え、
アナログ放送を受信することを特徴とする請求項１乃至４のいずれかに記載のテレビジョン放送受信機。
【請求項６】
前記第１及び第２の放送受信処理系のうち少なくとも一方が、
放送網から受信した信号から所望の物理チャンネルの信号を抽出するチューナ手段と、
デジタル復調、及び誤り訂正処理を施す伝送路復調処理手段と、
符号化された映像／音声信号および番組関連情報が多重化された信号について分離処理を施す多重分離処理手段と、
符号化映像／音声信号の復号処理を施す復号処理手段と、
輝度情報、色情報、位置情報の調整処理を施す信号処理手段とを備え、
デジタル放送を受信することを特徴とする請求項１乃至４のいずれかに記載のテレビジョン放送受信機。
【請求項７】
前記第１及び第２の放送受信処理系のうち、少なくとも一方に、
放送信号以外の動画コンテンツを再生する手段が備えられ、前記再生する手段で再生された動画コンテンツが前記信号処理手段に入力されることを特徴とする請求項５又は６に記載のテレビジョン放送受信機。
【請求項８】
前記放送信号以外の動画コンテンツが外部から入力されることを特徴とする請求項７に記載のテレビジョン放送受信機。
【発明の詳細な説明】
【技術分野】
【０００１】
この発明は、複数の入力映像ソースを表示する機能を備えたテレビジョン放送受信機に関し、特に動画コンテンツのフォーマット、及び動画データと文字画像情報の重畳状態に応じて最適な出力フォーマットを決定する手段に関するものである。
【背景技術】
【０００２】
従来のテレビジョン放送受信機では、複数の入力映像ソースを表示する場合、入力映像ソースのフォーマットのみで出力フォーマットが決定されている（例えば特許文献１）。
【０００３】
また、アナログ放送からデジタル放送への移行期において、アナログ放送とデジタル放送を共に受信できる機能を有するために、従来のアナログテレビジョン放送受信機に独立したデジタルテレビジョン放送受信機を付加した構成とするテレビジョン放送受信機が開発されてきた（例えば、特許文献２）。
【０００４】
【特許文献１】特開２００１−２６８４７３号公報（頁２−４、図２−２）
【特許文献２】特開２００２−２１８３３４号公報（頁３、図２）
【発明の開示】
【発明が解決しようとする課題】
【０００５】
特許文献２に記載のテレビジョン放送受信機に対して、特許文献１に記載の技術を適用した場合、例えば出力フォーマットを、表示する映像ソースのフォーマットに従うよう設定することを想定すると、表示する映像ソースがデジタル放送受信処理系側の１０８０Ｉフォーマット（有効走査線数１０８０本、飛び越し走査方式）映像から、アナログ放送受信処理系側の４８０Ｉ（有効走査線数４８０本、飛び越し走査方式）映像に切り替わった際、出力フォーマットは一律で１０８０Ｉから４８０Ｉに変更される。この際フォーマット変更によるミュート処理が施されることで、一瞬表示が途切れる。
【０００６】
ここで、アナログ放送受信処理系側の映像としては、動画データの他に、受信機のシステム設定メニューやＥＰＧのようなアナログ側ＯＳＤ（オンスクリーンディプレイ）が重畳される場合がある。視聴者のリモコン操作により、１０８０Ｉフォーマットのデジタル放送視聴から、アナログ側ＯＳＤを表示するよう指示された場合も、従来技術では出力フォーマットが１０８０Ｉから４８０Ｉに忠実に切り替わってしまう。そして、アナログ側ＯＳＤを非表示にし、再び１０８０Ｉフォーマットのデジタル放送を視聴するよう指示された場合は、４８０Ｉから１０８０Ｉへの出力フォーマット変更が行われることで、再度ミュート処理が行われる。つまり従来技術では、システム設定メニューの表示／非表示等のような操作に対しても、操作の度に出力フォーマット変更が行われ、それに伴って発生するミュート処理が視聴者の視認性及び操作性を著しく低下させる。また、出力フォーマットを固定することで、ミュート処理が行われないようにするものもあるが、例えば４８０Ｉ固定出力を想定すると、１０８０Ｉの動画コンテンツを視聴する場合も動画データが１０８０Ｉから４８０Ｉへ変換処理されるため、本来の画質との隔たりや変換による損失が生じ、また変換処理に伴う制御部（ＣＰＵ）負荷が増大し、さらに消費電力を過多に費やすことにもなる。
【０００７】
この発明は、上記のような問題点を解決するためになされたものであり、余計な出力フォーマット変更処理を発生させないように制御する手段を備えたテレビジョン放送受信機を得ることを目的としている。
【課題を解決するための手段】
【０００８】
この発明は、
第１の放送信号を受信して第１の解像度の第１の映像信号を生成する第１の受信部と、
文字画像情報を生成するＯＳＤ回路と、
前記第１の映像信号と前記ＯＳＤ回路で生成された文字画像信号との一方を選択して第１の合成信号として出力し、または前記第１の映像信号と前記ＯＳＤ回路で生成された文字画像信号との一方に他方の信号の全体あるいは一部を重畳して前記第１の合成信号として出力する第１の合成部と、
前記第１の受信部、前記ＯＳＤ回路および前記第１の合成部を制御する第１の制御手段と
を有した第１の放送受信処理系と、
第２の放送信号を受信して第２の解像度の第２の映像信号を生成する第２の受信部と、
前記第２の映像信号と前記第１の合成信号との一方を選択して第２の合成信号として出力し、または前記第２の映像信号と前記第１の合成信号との一方に他方の信号の全体あるいは一部を重畳して前記第２の合成信号として出力する第２の合成部、
前記第１の合成信号又は前記第２の合成信号の解像度を変換してまたは変換せずに、前記第１の解像度の信号又は前記第２の解像度の信号を出力する解像度変換部と、
前記第２の受信部、前記第２の合成部及び前記解像度変換部を制御する第２の制御手段と
を有した第２の放送受信処理系とを備え、
前記第１及び第２の制御手段は、前記第１の映像信号及び第２の映像信号の解像度を表す情報と、視聴者により前記第１の映像信号または前記第２の映像信号を表示装置に全画面表示する旨の指示がなされたか否かを示す情報を互いに通信し、
前記第１の映像信号を全画面表示する旨の指示がなされたときは、前記第２の制御手段は、前記解像度変換部に解像度の変換を行わないように制御し、前記第２の合成部に前記第１の合成信号を選択して前記第２の合成信号として出力させ、
前記第２の映像信号を全画面表示する旨の指示がなされているときは、前記第２の制御手段は、前記第２の合成部に前記第２の映像信号を選択して前記第２の合成信号として出力させ、前記解像度変換部に解像度の変換を行わないように制御し、
前記第１の映像信号を全画面表示をする旨の指示も前記第２の映像信号を全画面表示する旨の指示もなされていない場合は、前記第２の制御手段は、前記解像度変換部から出力される信号の解像度を変化させないように前記解像度変換部を制御する
ことを特徴とするテレビジョン放送受信機を提供する。
【発明の効果】
【０００９】
この発明によれば、２つの放送受信処理系統で、表示に関する制御情報を互いに通信することで、不要な出力フォーマットの変更を行わせないよう制御することができる。
【発明を実施するための最良の形態】
【００１０】
以下図面を参照して本発明の実施の形態を説明する。
実施の形態１．
図１は、本発明の実施の形態１のテレビジョン放送受信機を示すブロック図であり、アナログ放送を受信、処理するためのアナログ放送受信処理系１００と、デジタル放送を受信、処理するためのデジタル放送受信処理系２００との２系統の放送受信処理系を備えている。
【００１１】
アナログ放送受信処理系１００は、チューナ３１ａ、ＮＴＳＣ復調部３２、ビデオ信号処理部３３ａ、ＯＳＤ回路（文字画像情報生成部）４ａ、合成部５ａを備えている。これらの構成要素は、システムバス７ａで互いに接続され、システムバス７ａを介して制御部６ａにより制御される。
【００１２】
デジタル放送受信処理系２００は、チューナ３１ｂ、伝送路復調処理部３４、多重分離処理部３５、復号処理部３６、ビデオ信号処理部３３ｂ、合成部５ｂ、解像度変換部８ｂを備えており、これら構成要素は、システムバス７ｂにより互いに接続され、該システムバス７ｂを介して制御部６ｂにより制御される。
【００１３】
制御部６ａと制御部６ｂとは、制御部間通信バス１０で互いに接続されており、デジタル放送受信処理系２００とアナログ放送受信処理系１００との間で、表示に関する制御情報を相互に通信することが可能なように構成されている。
制御部６ａと制御部６ｂとは一方が他方の制御の下で動作する。例えば制御部６ｂが制御部６ａにより制御される。この制御部６ａによる制御部６ｂの制御のための情報も通信バス１０を介して送信される。以下の説明では、制御部６ａを主側の制御部と呼び、制御部６ｂを従側の制御部と呼ぶ。制御部６ａ及び制御部６ｂは例えばそれぞれプログラムされたコンピュータにより構成されている。
【００１４】
アナログ放送受信処理系１００はさらに、制御部６ａに接続されたリモコン受信部１４を有し、このリモコン受信部１４は、リモコン送信機１５からの指示信号を受け、指示データに変換して制御部６ａに伝達する。また、当該指示データを解釈するのは主側の制御部６ａである。
【００１５】
放送網からの受信信号はアナログ放送受信処理系１００のチューナ３１ａ、およびデジタル放送受信処理系２００のチューナ３１ｂに入力される。
【００１６】
アナログ放送受信処理系１００においては、チューナ３１ａは、放送網からの信号に対して、選局（所望の物理チャンネルの信号の抽出）及び検波処理を施し、処理後の出力はＮＴＳＣ復調部３２に供給される。ＮＴＳＣ復調部３２はＮＴＳＣ信号の復調処理を施し、映像信号、音声信号、及び番組関連情報等のデータを出力する。番組関連情報等のデータは制御部６ａに設置されているメモリ６ｃの専用領域に取り込まれ、映像信号はビデオ信号処理部３３ａに供給される。また、ＮＴＳＣ復調部３２より出力される音声信号は、図示しない音声処理部で必要な処理を施し図示しないスピーカなどへ出力することが可能である。ビデオ信号処理部３３ａは、映像信号に対して、輝度情報、色情報、位置情報などの調整処理を施し、処理された映像信号は合成部５ａに供給される。
上記のうち、チューナ３１ａと、ＮＴＳＣ復調部３２と、ビデオ信号処理部３３ａとで、アナログ放送信号を受信するアナログ放送受信部３ａが構成されている。
【００１７】
ＯＳＤ回路４ａには、制御部６ａが生成する文字画像信号（例えば、番組ガイド情報などの番組関連情報、電子メール或いはインターネットブラウザ、映像表示設定や音声出力設定などの設定項目表示、番組情報などを含むバナー表示及びメッセージ表示等）が、システムバス７ａを介して供給される。ＯＳＤ回路４ａは、制御部６ａより供給された文字画像信号に輝度情報、色情報、位置情報などの調整処理を施し、処理された文字画像信号は合成部５ａに供給される。
【００１８】
合成部５ａは、供給された映像信号と文字画像信号との合成処理を行い、合成処理により得られた合成信号（第１の合成信号）はアナログ放送と同じ４８０Ｉフォーマットでデジタル放送受信処理系１００の解像度変換部８ｂに供給される。ここで、合成とは合成部５ａに供給される２つの映像信号のうち１つを選択的に出力すること、または一方の映像信号に他方の映像信号の全体または一部を重畳して出力すること等を意味し、重畳する際は半透過で重畳することも可能である。
【００１９】
一方、デジタル放送受信処理系２００においては、チューナ３１ｂが、放送網からの信号に対して、選局（所望の物理チャンネルの信号の抽出）及び検波処理を施し、処理後の出力は伝送路復調処理部３４に供給される。伝送路復調処理部３４はデジタル復調、及び誤り訂正処理を施し、符号化された映像／音声信号、及び番組関連情報等が多重化された信号が多重分離処理部３５に供給される。多重分離処理部３５は、多重化信号について分離処理を施し、番組関連情報は制御部６ｂに設置されているメモリ６ｄの専用領域に取り込まれ、符号化映像／音声信号は復号処理部３６に供給される。復号処理部３６は、符号化映像／音声信号の復号処理を施し、復号映像信号は、ビデオ信号処理部３３ｂに供給される。また、復号処理部３６より出力される音声信号は、図示しない音声処理部で必要な処理を施し図示しないスピーカなどへ出力することが可能である。ビデオ信号処理部３３ｂは映像信号に対して、輝度情報、色情報、位置情報などの調整処理を施し、処理された映像信号は合成部５ｂに供給される。
上記のうち、チューナ３１ｂと、伝送路復調処理部３４と、多重分離処理部３５と、復号処理部３６と、ビデオ信号処理部３３ｂとで、デジタル放送信号を受信するデジタル放送受信部３ｂが構成されている。
【００２０】
また、アナログ放送受信処理系１００の合成部５ａから合成信号を供給された解像度変換部８ｂは、入力された合成信号を、４８０Ｉ、４８０Ｐ、７２０Ｐ及び１０８０Ｉ等の任意の解像度に変換可能であり、制御部６ｂの指示により解像度変換処理を行い、処理した映像信号を第２の合成部５ｂに供給する。
合成部５ｂは、供給された２つの映像信号の合成処理を行い、合成処理により得られた合成信号（第２の合成信号）を表示装置９に供給する。表示装置９は、入力された合成信号に基づく表示を行う。表示装置９は、ＣＲＴディスプレイ、液晶ディスプレイ、プラズマディスプレイ及び、有機ＥＬディスプレイなどの表示デバイスである。
【００２１】
２つの制御部６ａ、６ｂ相互間では、表示装置９に出力される映像信号が、動画コンテンツを全画面表示するよう指示されているか否かに関する情報、デジタル放送受信処理系２００側の動画コンテンツを表示するか否かについての情報、動画コンテンツのフォーマットに関する情報が通信される。これらの情報のうち、動画コンテンツが全画面表示するよう指示されているか否かに関する情報は、リモコン送信機１５からの指示信号に基づいて生成されるものであり、制御部６ａから制御部６ｂに送信され、動画コンテンツのフォーマットに関する情報は、当該動画コンテンツを出力する側の制御部から解像度変換部８ｂを制御する制御部に送信されるが、動画コンテンツを出力する側と解像度変換部８ｂを制御する側が同じである場合は、あえて送信する必要がないのは言うまでもない。
【００２２】
上記のような構成において、２つの合成部５ａ，５ｂ、及び解像度変換部８ｂの動作について、図２に示すフローチャートを参照して説明する。
視聴者の選局やシステム設定メニューの表示／非表示等のためのリモコン送信機１５の操作がなされると、これがリモコン受信部１４を介して制御部６ａに伝えられ、視聴者の操作に応じた処理が開始される。
処理がスタートすると、ステップＳＴ１１で、制御部６ａにおいて、視聴者の指示が動画コンテンツを全画面で表示することを要求するものかどうかが判別される。
【００２３】
ここで、動画コンテンツを全画面で表示することが要求されていることが判別されると（ステップＳＴ１１でＹＥＳ）、次に、ステップＳＴ１２で、全画面表示される動画コンテンツがデジタル放送受信処理系２００側のものか否かが判別される。この判別も主側の制御部６ａで行われる。
【００２４】
ステップＳＴ１２で、デジタル放送受信処理系２００側の動画コンテンツが表示されると判断されると（ステップＳＴ１２でＹＥＳ）、ステップＳＴ１１、及びステップＳＴ１２の判別の結果を示す情報、即ち「動画コンテンツを全画面で表示することが要求されている」ことを示す情報、及び「全画面表示される動画コンテンツがデジタル放送受信処理系２００側のものである」ことを示す情報が主側の制御部６ａで生成され、従側の制御部６ｂに送信される（ＳＴ２０）。これとともに「表示される動画コンテンツのフォーマット情報」が、表示される動画コンテンツを出力する側の制御部（本例では、デジタル放送受信処理系２００側の制御部６ｂ）で生成される（ＳＴ２０）。この情報は、解像度変換部８ｂの制御に用いられる。
次にステップＳＴ２１では、合成部５ａは、ＯＳＤ回路４ａから供給される文字画像情報のみを出力するよう合成する。
そして、解像度変換部８ｂは、制御部６ｂからのフォーマットに関する情報に基づき、解像度変換処理を行わずに映像信号を出力し（ステップＳＴ２２）、
さらに合成部５ｂは、デジタル放送受信処理系２００側のビデオ信号処理部３３ｂから供給される動画データのみを出力するよう合成処理し、表示装置９に出力し（ステップＳＴ２３）、最後に解像度変換処理部８ｂを制御する制御部６ｂが、自身に設置されたメモリ６ｄに現在の出力解像度を記憶する（ステップＳＴ２４）。
ステップＳＴ２１の処理は制御部６ａによる制御の下で行われる。ステップＳＴ２２、ＳＴ２３、ＳＴ２４の処理は制御部６ｂによる制御の下で行われる。
【００２５】
上記の制御を行うことで、視聴者は放送事業者の意図する動画フォーマットで、本来の画質と隔たりなく、動画コンテンツを視聴できる。
【００２６】
ここで、ステップＳＴ２１で、合成部５ａは、ＯＳＤ回路４ａから供給される文字画像情報のみを出力するよう合成したが、合成部５ａからの出力は最終的に表示されないので、ビデオ信号処理部３３ａから供給される動画データのみを出力するよう合成しても良い。これにより、視聴者がリモコン操作によりデジタル放送からアナログ放送に視聴を切り替えようとした場合、アナログ放送の動画データがすでに生成されているので、スムーズな切り替えを行うことが可能になる。また、チューナ３１ａ、ＮＴＳＣ復調部３２、ビデオ信号処理部３３ａ、及び合成部５ａの一連の処理を行わせないようにしても良い。これにより、不要な処理がなくなるためシステムの動作が速くなり、消費電力も低減できる。
【００２７】
ステップＳＴ１２で、アナログ放送受信処理系側の動画コンテンツが表示されると判断されると（ステップＳＴ１２でＮＯ）、ステップＳＴ１１、及びステップＳＴ１２の判別の結果を示す情報、即ち「動画コンテンツを全画面で表示することが要求されている」ことを示す情報、及び「全画面表示される動画コンテンツがアナログ放送受信処理系側のものである」ことを示す情報が主側の制御部６ａで生成され、従側の制御部６ｂに送信される（ＳＴ３０）。これとともに「全画面表示される動画コンテンツのフォーマットに関する情報」が、表示される動画コンテンツを出力する側の制御部（本例では、アナログ放送受信処理系側１００の制御部６ａ）で生成され、解像度変換部８ｂを有する側の制御部（本例では従側の制御部６ｂ）に送信される（ＳＴ３０）。この情報は、解像度変換部８ｂの制御に用いられる。
次に、ステップＳＴ３１では、合成部５ａは、ビデオ信号処理部３３ａから供給される動画データのみが出力されるよう合成する。
そして、解像度変換部８ｂは、制御部６ｂからのフォーマットに関する情報に基づいて、解像度変換処理を行わずに映像信号を出力し（ステップＳＴ３２）、
さらに合成部５ｂは、解像度変換部８ｂから供給される映像信号のみを出力するよう合成し、表示装置９に出力し（ステップＳＴ３３）、最後に解像度変換処理部８ｂを制御する制御部６ｂが、自身に設置されたメモリ６ｄに現在の出力解像度を記憶する（ステップＳＴ３４）。
ステップＳＴ３１の処理は制御部６ａによる制御の下で行われる。ステップＳＴ３２、ＳＴ３３、ＳＴ３４の処理は制御部６ｂによる制御の下で行われる。
【００２８】
上記の制御を行うことで、視聴者は放送事業者の意図する動画フォーマットで、本来の画質と隔たりなく、動画コンテンツを視聴できる。
【００２９】
一方、ステップＳＴ１１で、動画コンテンツを全画面表示することが要求されていないと判定された場合（ステップＳＴ１１でＮＯ）、
ステップＳＴ４０では、ステップＳＴ１１における判定の結果を示す情報、「ＯＳＤ出力を全画面表示する」ことを示す情報が主側の制御部６ａで生成され、従側の制御部６ｂに送信される。これとともに「表示される文字画像情報のフォーマット情報」が、表示される文字画像情報を出力する側の制御部（本例では、アナログ放送受信処理系１００側の制御部６ａ）で生成され、この情報も解像度変換部８ｂを制御する制御部６ｂに送信され、解像度変換部８ｂの制御に用いられる。
ステップＳＴ４１では、合成部５ａは、ＯＳＤ回路４ａから供給される文字画像情報のみを出力するよう合成処理する。
そして、ステップＳＴ４２で、解像度変換部８ｂは制御部６ｂからのフォーマットに関する情報に基づいて、それまで出力（表示）中であった映像のフォーマットに関する情報と同じフォーマットで出力（表示）されるよう解像度変換処理を行い、
続くステップＳＴ４３で、合成部５ｂは、解像度変換部８ｂから供給される映像信号のみを出力するよう合成処理し、表示装置９に出力する。
最後に解像度変換処理部８ｂを制御する制御部６ｂが、自身に設置されたメモリ６ｄに現在の出力解像度を記憶する（ステップＳＴ４４）。
この結果、ＯＳＤ出力が全画面表示される。ステップＳＴ４１の処理は制御部６ａによる制御の下で行われ、ステップＳＴ４２、ＳＴ４３、ＳＴ４４の処理は制御部６ｂによる制御の下で行われる。
【００３０】
以上のように制御することで、システム設定メニューのような特に出力フォーマットを意識することのない画像を表示する場合、不要なフォーマット変更処理を行わずに、シームレスな画面切替えを行うことができる。
【００３１】
本実施の形態では、２つの制御部６ａ、６ｂ間で、表示に関する制御情報を相互に通信し、制御情報を基に解像度変換処理を行うかが判断されるため、例えばＯＳＤの全画面表示に切り替わる際は、不要な出力フォーマットの変更を行わせないよう制御することができ、余計なミュート処理が発生せず、かつ動画コンテンツの全画面表示に切り替わる際は、動画コンテンツのフォーマットに従った出力フォーマットに変換されるため、本来の画質と隔たりのない映像を忠実に出力するため、視聴者にとって視認性及び操作性の良いテレビジョン放送受信機を提供できる。
【００３２】
また、本実施の形態では、アナログ放送の受信処理系１００とデジタル放送の受信処理系２００とを備えているので、従来のアナログテレビジョン放送受信機に独立したデジタルテレビジョン放送受信機を付加した構成とするテレビジョン放送受信機の開発に好適である。
【００３３】
また、本実施の形態では、アナログ放送の受信処理系１００とデジタル放送の受信処理系２００に備わった合成部５ａ及び５ｂにおいて、入力される複数の映像信号の内、一方のみを選択的に出力させるよう制御したが、入力される複数の信号を重ね合わせて表示させるようなことも可能である。
たとえばアナログ放送受信処理系１００側の動画コンテンツに当該動画コンテンツの番組情報（チャンネル番号、番組タイトル等）のＯＳＤを重畳させたい場合には、前記ステップＳＴ３１にて合成部５ａにビデオ信号処理部３３ａから供給される動画データにＯＳＤ回路４ａから供給される文字画像情報（上記チャンネル番号、番組タイトル等の番組情報）を重畳するよう合成させてもよい。
【００３４】
同様にデジタル放送受信処理系２００側の動画コンテンツに当該動画コンテンツの番組情報のＯＳＤを重畳させたい場合には、前記ステップＳＴ２３、またはＳＴ１２３にて合成部５ｂにビデオ信号処理部３３ｂから供給される動画データに合成部５ａから供給される文字画像情報を重畳するよう合成させてもよい。ただし、このときステップＳＴ２０で生成及び送信される情報には、「表示される動画コンテンツの番組関連情報」が追加され、当該番組関連情報は、表示される動画コンテンツを出力する側の制御部（本例では、デジタル放送受信処理系２００側の制御部６ｂ）にて生成され、文字画像情報を生成するＯＳＤ回路を有する制御部（本例では、アナログ放送受信処理系１００側の制御部６ａ）へ送信される。
【００３５】
さらに、ステップＳＴ２２で解像度変換部８ｂは、解像度変換処理を行わないよう制御したが、デジタル放送受信処理系２００側の動画コンテンツと同サイズまで解像度変換させても良い。これにより例えば１０８０Ｉフォーマットのデジタル放送コンテンツを視聴中に該コンテンツの番組情報を重畳しようとした場合、４８０Ｉフォーマットの文字画像情報を１０８０Ｉフォーマットにアップコンバートして重畳することで、文字画像情報をより大きく明瞭に表示することが可能となる。
【００３６】
また、本実施の形態では、解像度変換部８ｂをデジタル放送受信処理系２００内の合成部５ｂの前段に配置し、制御部６ｂにより制御する構成にしたが、アナログ放送受信処理系１００の合成部５ａの後段に配置し、制御部６ａによって制御する構成にしても、同様の効果が得られる。これにより、制御部６ｂの解像度変更処理に伴う処理負荷を低減させることができる。
【００３７】
また、本実施の形態では、解像度変換部８ｂをデジタル放送受信処理系２００内の合成部５ｂの前段に配置し、制御部６ｂにより制御する構成にしたが、合成部５ｂの後段に配置しても同様の効果が得られる。ただし、このときの制御フローは図３のようになる。ここで、同一処理には同一符号付してその説明を省略し処理内容が異なる部分のみ説明する。
【００３８】
ステップＳＴ１２で、デジタル放送受信処理系２００側の動画コンテンツが表示されると判断されると（ステップＳＴ１２でＹＥＳ）、ステップＳＴ２０、及びステップＳＴ２１と処理が進む。
続いて合成部５ｂは、デジタル放送受信処理系２００側のビデオ信号処理部３３ｂから供給される動画データのみを出力するよう合成処理し、解像度変換部８ｂに出力する（ステップＳＴ１２３）。
そして、解像度変換部８ｂは、制御部６ｂからのフォーマットに関する情報に基づき、解像度変換処理を行わずに映像信号を表示装置９に出力し（ステップＳＴ１２２）、最後にステップＳＴ２４を行う。
ステップＳＴ１２２、ＳＴ１２３の処理は制御部６ｂによる制御の下で行われる。
【００３９】
上記の制御を行うことで、視聴者は放送事業者の意図する動画フォーマットで、本来の画質と隔たりなく、動画コンテンツを視聴できる。
【００４０】
ステップＳＴ１２で、アナログ放送受信処理系側の動画コンテンツが表示されると判断されると（ステップＳＴ１２でＮＯ）、ステップＳＴ３０、及びステップＳＴ３１と処理が進む。
続いて合成部５ｂは、アナログ放送受信処理系１００側の合成部５ａが出力する映像信号のみを出力するよう合成し、解像度変換部８ｂに出力する（ステップＳＴ１３３）。
そして、解像度変換部８ｂは、制御部６ｂからのフォーマットに関する情報に基づいて、解像度変換処理を行わずに映像信号を表示装置９に出力し（ステップＳＴ１３２）、最後にステップＳＴ３４を行う。
ステップＳＴ１３２、ＳＴ１３３の処理は制御部６ｂによる制御の下で行われる。
【００４１】
上記の制御を行うことで、視聴者は放送事業者の意図する動画フォーマットで、本来の画質と隔たりなく、動画コンテンツを視聴できる。
【００４２】
一方、ステップＳＴ１１で、動画コンテンツを全画面表示することが要求されていないと判定された場合（ステップＳＴ１１でＮＯ）、ステップＳＴ４０、及びステップＳＴ４１と処理が進む。
さらにステップＳＴ１４３で、合成部５ｂは、アナログ放送受信処理系１００側の合成部５ａが出力する映像信号のみを出力するよう合成処理し、解像度変換部８ｂに出力する。
そして、ステップＳＴ１４２で、解像度変換部８ｂは制御部６ｂからのフォーマットに関する情報に基づいて、それまで出力（表示）中であった映像のフォーマットと同じフォーマットで出力（表示）されるよう解像度変換処理を行い、変換処理した映像信号を表示装置９に出力し（ステップＳＴ１４２）、最後にステップＳＴ４４を行う。
この結果、ＯＳＤ出力が全画面表示される。ステップＳＴ１４２及びＳＴ１４３の処理は制御部６ｂによる制御の下で行われる。
【００４３】
以上のように制御することで、システム設定メニューのような特に出力フォーマットを意識することのない画像を表示する場合、不要なフォーマット変更処理を行わずに、シームレスな画面切替えを行うことができる。
【００４４】
また、解像度変換部８ｂが合成部５ｂの後段に配置されたことにより、デジタル放送受信処理系２００の動画コンテンツも任意のフォーマットへ変換することが可能になる。
【００４５】
また、本実施の形態では、解像度変換部８ｂをデジタル放送受信処理系２００内に１つのみ配置したが、これ以外に解像度変換部を設けても同様の効果が得られるのは言うまでもない。さらにこの場合、例えばビデオ信号処理部３３ｂの後段に第２の解像度変換部を配置することで、デジタル放送の動画データを縮小することが可能になり、例えばＥＰＧのようなＯＳＤに前記デジタル放送の動画データを縮小した映像信号を重畳させることができるため、高度な画面合成処理が可能となりユーザの操作性が良くなる。
【００４６】
なお、上記の例では、リモコン受信部１４が、主側の制御部６ａと同じくアナログ放送受信処理系１００に設けてあるが、主側の制御部がアナログ放送受信処理系１００に設けてある場合において、デジタル放送受信処理系２００にリモコン受信部１４を設けるようにしても良い。この場合には、リモコン受信部１４を介して該デジタル放送受信処理系２００内の制御部６ｂ（従側の制御部）に伝達されたリモコン送信機１５からの指示が制御部６ｂから制御部６ａに伝達される。
【００４７】
実施の形態２．
図４は、本発明の実施の形態２のテレビジョン放送受信機を示すブロック図である。この実施の形態の構成は、図１に示した実施の形態１の構成におけるデジタル放送受信処理系２００にＯＳＤ回路４ｂを付加し、また解像度変換部８ｂを合成部５ｂの後段に配置させたものであり、これらの部分以外の構成は図１と同じであり、動作も同じであるので、同一部分に同一符号を付してその説明を省略し、上記追加したＯＳＤ回路４ｂと、制御部６ａ、６ｂ相互間で通信される情報に関する部分を中心に説明する。
【００４８】
図４のデジタル放送受信処理系２００において、ＯＳＤ回路４ｂには、アナログ放送受信処理系１００におけるＯＳＤ回路４ａと同様、制御部６ｂが生成する文字画像信号（例えば、電子番組ガイド情報などの番組関連情報、電子メール或いはインターネットブラウザ、映像表示設定や音声出力設定などの設定項目表示、番組情報などを含むバナー表示及びメッセージ表示等）が、システムバス７ｂを介して供給される。ＯＳＤ回路４ｂは、制御部６ｂより供給された文字画像信号に輝度情報、色情報、位置情報などの調整処理を施し、処理された文字画像信号は合成部５ｂに供給される。合成部５ｂは、供給された映像信号を合成処理し、処理した合成信号を解像度変換部８ｂに供給する。
【００４９】
上記のような構成において、２つの合成部５ａ，５ｂ、及び解像度変換部８ｂの動作について、図５に示すフローチャートを参照して説明する。
【００５０】
図５のフローチャートは、図３に示した実施の形態１の構成における２つの合成部５ａ、５ｂ、及び解像度変換部８ｂの動作を表すフローチャートと概して同じであるので、同一部分に同一符号を付してその説明を省略し、上記追加したＯＳＤ回路４ｂに関わる動作を中心に説明する。
【００５１】
ステップＳＴ１１で、動画コンテンツを全画面表示することが要求されていないと判定された場合（ステップＳＴ１１でＮＯ）、新たなステップＳＴ１３にて制御部６ａにより全画面表示されるＯＳＤがアナログ放送受信処理系１００側のＯＳＤであるかどうかが判断される。
【００５２】
ステップＳＴ１３で、アナログ放送受信処理系１００側のＯＳＤが全画面表示されると判定された場合（ステップＳＴ１３でＹＥＳ）、
ステップＳＴ２４０では、ステップＳＴ１１、及びステップＳＴ１３における判定の結果を示す情報、「ＯＳＤ出力を全画面表示する」ことを示す情報、及び「表示されるＯＳＤがアナログ放送受信処理系側のＯＳＤである」ことを示す情報が主側の制御部６ａで生成され、従側の制御部６ｂに送信される。これとともに「表示される文字画像情報のフォーマット情報」が、表示される文字画像情報を出力する側の制御部（本例では、アナログ放送受信処理系１００側の制御部６ａ）で生成され、この情報も解像度変換部８ｂを備えた制御部６ｂに送信され、解像度変換部８ｂの制御に用いられる。
そしてステップＳＴ４１、ＳＴ１４３、ＳＴ１４２、ＳＴ４４と処理が進む。
【００５３】
以上のように制御することで、システム設定メニューのような特に出力フォーマットを意識することのない画像を表示する場合、不要なフォーマット変更処理を行わずに、シームレスな画面切替えを行うことができる。
【００５４】
一方、ステップＳＴ１３で、デジタル放送受信処理系２００側のＯＳＤが全画面表示されると判定された場合（ステップＳＴ１３でＮＯ）、
ステップＳＴ５０では、ステップＳＴ１１、及びステップＳＴ１３における判定の結果を示す情報、「ＯＳＤ出力を全画面表示する」ことを示す情報、及び「表示されるＯＳＤがデジタル放送受信処理系側のＯＳＤである」ことを示す情報が主側の制御部６ａで生成され、従側の制御部６ｂに送信される。これとともに「表示される文字画像情報のフォーマット情報」が、表示される文字画像情報を出力する側の制御部（本例では、デジタル放送受信処理系１００側の制御部６ｂ）で生成される。この情報も解像度変換部８ｂを制御するのに用いられる。
ステップＳＴ５１では、合成部５ａは、ＯＳＤ回路４ａから供給される文字画像情報のみを出力するよう合成処理する。
さらにステップＳＴ５３で、合成部５ｂは、デジタル放送受信処理系２００のＯＳＤ回路４ｂから供給される文字画像情報のみを出力するよう合成処理し、解像度変換部８ｂに出力する。
そして、ステップＳＴ５２で、解像度変換部８ｂは制御部６ｂからのフォーマットに関する情報に基づいて、それまで出力（表示）中であった映像のフォーマットと同じフォーマットで出力（表示）されるよう解像度変換処理を行い、変換処理した映像信号を表示装置９に出力する。
ステップＳＴ５１の処理は制御部６ａによる制御の下で行われる。ステップＳＴ５２、ＳＴ５３、ＳＴ５４の処理は制御部６ｂによる制御の下で行われる。
【００５５】
以上のように制御することで、システム設定メニューのような特に出力フォーマットを意識することのない画像を表示する場合、不要なフォーマット変更処理を行わずに、シームレスな画面切替えを行うことができる。
【００５６】
さらに本実施の形態では、デジタル放送受信処理系側にＯＳＤ回路４ｂを付加した構成としたことにより、従来のアナログテレビジョン放送受信部に独立したデジタルテレビジョン放送受信部を付加した構成とするテレビジョン放送受信機を開発する際、すでに２つの放送受信システムで採用されていたＯＳＤ重畳の仕組みをそのまま生かし、大きな改造をすることなく統合できるため、開発期間を大幅に短縮できる。
【００５７】
実施の形態３．
図６は、本発明の実施の形態４のテレビジョン放送受信機を示すブロック図である。この実施の形態の構成は、図４に示した実施の形態２の構成におけるアナログテレビジョン放送受信機部１００に、ＤＶＤ（Ｄｉｇｉｔａｌ  Ｖｅｒｓａｔｉｌｅ  Ｄｉｓｋ）を再生するＤＶＤ再生処理部１１を付加し、ビデオ信号処理部３３がＮＴＳＣ復調部３２からの映像信号のみならず、ＤＶＤ再生処理部１１からの映像信号をも受けるように構成したものであり、この部分以外の構成は図４と同じであり、動作も同じであるので、同一部分に同一符号を付してその説明を省略し、上記追加した部分に関わる動作についてのみ説明する。
【００５８】
図６のアナログ放送受信処理系１００において、ＤＶＤ再生処理部１１は、図示しないＤＶＤメディアにＰＳ（ｐｒｏｇｒａｍ  ｓｔｒｅａｍ）形式で蓄積された動画コンテンツをデコードし、デコードされた映像信号をビデオ信号処理部３３ａに出力するデコーダ部１２を備えている。
【００５９】
視聴者の指示によりＤＶＤの再生を行う旨の指示がなされると、制御部６ａはＤＶＤ再生処理部１１に対し、ＤＶＤメディアに記録された動画コンテンツを出力するよう指示する。ここで、ＤＶＤ再生処理部１１に備えられたデコード部１２では、デコード処理がなされ、デコード処理した映像信号をビデオ信号処理部３３ａに供給する。ビデオ信号処理部３３ａでは、ＮＴＳＣ復調部３２とＤＶＤ再生処理部１１に備えられたデコード部１２からの出力の内、ＤＶＤ再生処理部１１に備えられたデコード部１２から供給される映像信号に対して、輝度情報、色情報、位置情報などの調整処理を施し、処理された映像信号を合成部５ａに供給する。合成部５ａは、供給された映像信号とＯＳＤ回路４ａが出力する文字画像信号との合成処理を行い、処理された合成信号を解像度変換部８ａに出力する。
【００６０】
上記のような構成においても、実施の形態２について図５を参照して説明したのと同様の制御により、視聴者にとって視認性及び操作性の良いテレビジョン放送受信機を提供できる。
【００６１】
本実施の形態では、アナログ放送受信処理系側にＤＶＤ再生処理部１１を付加した構成とすることで、アナログ放送受信側が出力する動画コンテンツが、アナログ放送以外のものにも対応可能となる。
【００６２】
また、本実施の形態においては、ＤＶＤ再生処理部１１を付加した構成としたが、ＤＶＤ再生処理部の他にも、ハードディスクやＤＶＤ−ＲＡＭ等の記憶媒体を備え、該記憶媒体に録画及び再生する処理を行う録画再生処理部を付加した構成としたり、その他にも例えばデジタルＶＴＲや、アナログ方式ＶＴＲを付加した構成としても良く、これらの場合の回路構成は各々に必要な回路構成となるように形成すれば良い。録画を行う録画再生部を付加した構成とすれば、放送網から受信した信号を記録することができる。
【００６３】
また、前記追加したＤＶＤ再生処理部は、アナログ放送受信側の制御部で制御されていたが、デジタル放送受信側の制御部で制御されてもよい。
【００６４】
また、前記再生する動画コンテンツのファイル形式はＰＳ形式（プログラムストリーム形式）を想定したが、その他にもＴＳ（Ｔｒａｎｓｐｏｒｔ  Ｓｔｒｅａｍ）形式としても良く、この場合はデジタル放送受信処理系側のＴＳデコード手段を用いることで、再生が可能となる。
【００６５】
また、アナログ放送受信処理系側に付加した前記ＤＶＤ再生処理手段や記録再生処理手段等は内蔵されていることを想定したが、外部との接続によって、動画コンテンツが外部から入力される構成としても良い。例えば、デジタル放送受信処理系側にはｉ．ＬＩＮＫポートを備え、外部の再生機器からデジタル放送受信側に入力される構成としても同様の効果が得られる。
【００６６】
本実施の形態により、放送波以外の動画コンテンツを視聴できる等、多機能なテレビジョン放送受信機を構築することが可能となる。
【図面の簡単な説明】
【００６７】
【図１】本発明の実施の形態１によるテレビジョン放送受信機の一例を示すブロック図である。
【図２】実施の形態１における画像合成及び解像度変換の動作を説明するためのフローチャートである。
【図３】実施の形態１における画像合成及び解像度変換の動作を説明するためのフローチャートである。
【図４】本発明の実施の形態２によるテレビジョン放送受信機を示すブロック図である。
【図５】実施の形態２における画像合成及び解像度変換の動作を説明するためのフローチャートである。
【図６】本発明の実施の形態３によるテレビジョン放送受信機を示すブロック図である。
【符号の説明】
【００６８】
１  第１の放送受信部、  ２  第２の放送受信部、  ３ａ  第１の受信部、  ３ｂ  第２の受信部、  ４ａ  第１のＯＳＤ回路、  ４ｂ  第２のＯＳＤ回路、  ５ａ  第１の合成部、  ５ｂ  第２の合成部、  ６ａ  第１の制御部、  ６ｂ  第２の制御部、  ７ａ  第１のシステムバス、  ７ｂ  第２のシステムバス、  ８ｂ  解像度変換部、  ９  表示装置、  １０  制御部間通信バス、  １１  ＤＶＤ再生処理部、  １００  アナログ放送受信部、  ２００  デジタル放送受信部、  ３１ａ  チューナ部、  ３１ｂ  チューナ部、  ３２  ＮＴＳＣ復調部、  ３３ａ  第１のビデオ信号処理部、  ３３ｂ  第２のビデオ信号処理部、  ３４  伝送路復調処理部、  ３５  多重分離処理部、  ３６  復号処理部。
【図１】
0004721950.tif 000002
【図２】
0004721950.tif 000003
【図３】
0004721950.tif 000004
【図４】
0004721950.tif 000005
【図５】
0004721950.tif 000006
【図６】
0004721950.tif 000007